(57)【特許請求の範囲】
【請求項１】
作業者歩行用の歩行路形成部材と、
前記歩行路形成部材の長手方向となる前後方向に沿って物品を搬送する搬送コンベアと、
前記歩行路形成部材及び前記搬送コンベアを天井側から吊り下げ支持する吊り下げ体とが設けられ、
前記吊り下げ体が、前記前後方向と交差する横幅方向に間隔を隔てた状態で一対並設され、
前記一対の吊り下げ体の下端部に直接連結されて前記一対の吊り下げ体に亘って架設され且つ前記前後方向に間隔を隔てた状態で支持部材が複数並設されている吊り下げ式歩廊であって、
前記歩行路形成部材が、前記複数の支持部材に直接連結されて前記複数の支持部材に亘って架設され、
前記搬送コンベアが、前記歩行路形成部材に対して前記横幅方向に並ぶ状態で前記前後方向に沿って設置され且つ前記複数の支持部材に直接連結されて前記複数の支持部材に亘って架設され、
天井側に前記前後方向に沿う姿勢で設置された建築梁が、前記横幅方向に並ぶ状態で一対並設され、
前記一対の建築梁に亘って架設され且つ前記前後方向に間隔を隔てた状態で横連結部材が複数並設され、
前記一対の吊り下げ体における夫々の上端部が、前記横連結部材に直接連結されている吊り下げ式歩廊。
【請求項２】
作業者歩行用の歩行路形成部材と、
前記歩行路形成部材の長手方向となる前後方向に沿って物品を搬送する搬送コンベアと、
前記歩行路形成部材及び前記搬送コンベアを天井側から吊り下げ支持する吊り下げ体とが設けられ、
前記吊り下げ体が、前記前後方向と交差する横幅方向に間隔を隔てた状態で一対並設され、
前記一対の吊り下げ体の下端部に直接連結されて前記一対の吊り下げ体に亘って架設され且つ前記前後方向に間隔を隔てた状態で支持部材が複数並設されている吊り下げ式歩廊であって、
前記歩行路形成部材が、前記複数の支持部材に直接連結されて前記複数の支持部材に亘って架設され、
前記搬送コンベアが、前記歩行路形成部材に対して前記横幅方向に並ぶ状態で前記前後方向に沿って設置され且つ前記複数の支持部材に直接連結されて前記複数の支持部材に亘って架設され、
前記複数の支持部材の夫々が、横幅方向視の断面形状が上方に開口するコ字状に形成されている吊り下げ式歩廊。
【請求項３】
天井側に前記前後方向に沿う姿勢で設置された建築梁が、前記横幅方向に並ぶ状態で一対並設され、
前記一対の建築梁に亘って架設され且つ前記前後方向に間隔を隔てた状態で横連結部材が複数並設され、
前記一対の吊り下げ体における夫々の上端部が、前記横連結部材に直接連結されている請求項２記載の吊り下げ式歩廊。
【請求項４】
天井側に前記前後方向に沿う姿勢で設置された建築梁が、前記横幅方向に間隔を隔てた状態で一対並設され、
前記一対の吊り下げ体における一方の上端部が、前記一対の建築梁の一方に直接連結され、且つ、前記一対の吊り下げ体における他方の上端部が、前記一対の建築梁の他方に直接連結されている請求項２記載の吊り下げ式歩廊。
【請求項５】
前記一対の吊り下げ体の夫々が、前記前後方向に間隔を隔てた状態で複数並設された上下方向に沿う姿勢の吊り部材と、前記吊り部材の下端部に直接連結されて前記前後方向に隣接する前記吊り部材に亘って架設された前記前後方向に沿う姿勢の前後連結部材とを備えて構成され、
前記複数の支持部材の夫々が、前記一対の吊り下げ体における前記連結部材に直接連結される形態で前記一対の吊り下げ体に亘って架設されている請求項１〜４のいずれか１項に記載の吊り下げ式歩廊。
【請求項６】
前記搬送コンベアが、コンベア本体と、そのコンベア本体から下方に突出する状態で設けられた脚部とを備えて構成されて、前記複数の支持部材に前記脚部の下端部を直接連結して前記複数の支持部材に亘って架設されている請求項５記載の吊り下げ式歩廊。
【請求項７】
前記一対の吊り下げ体の夫々が、前記前後方向に間隔を隔てた状態で複数並設された上下方向に沿う姿勢の吊り部材を備えて構成され、
前記複数の支持部材の夫々が、前記一対の吊り下げ体における前記吊り部材の下端部に直接連結される形態で前記一対の吊り下げ体に亘って架設されている請求項１〜４のいずれか１項に記載の吊り下げ式歩廊。
【請求項８】
作業者歩行用の歩行路形成部材と、
前記歩行路形成部材の長手方向となる前後方向に沿って物品を搬送する搬送コンベアと、
前記歩行路形成部材及び前記搬送コンベアを天井側から吊り下げ支持する吊り下げ体とが設けられ、
前記吊り下げ体が、前記前後方向と交差する横幅方向に間隔を隔てた状態で一対並設され、
前記一対の吊り下げ体の下端部に直接連結されて前記一対の吊り下げ体に亘って架設され且つ前記前後方向に間隔を隔てた状態で支持部材が複数並設されている吊り下げ式歩廊であって、
前記歩行路形成部材が、前記複数の支持部材に直接連結されて前記複数の支持部材に亘って架設され、
前記搬送コンベアが、前記歩行路形成部材に対して前記横幅方向に並ぶ状態で前記前後方向に沿って設置され且つ前記複数の支持部材に直接連結されて前記複数の支持部材に亘って架設され、
前記一対の吊り下げ体の夫々が、前記前後方向に間隔を隔てた状態で複数並設された上下方向に沿う姿勢の吊り部材と、前記吊り部材の下端部に直接連結されて前記前後方向に隣接する前記吊り部材に亘って架設された前記前後方向に沿う姿勢の前後連結部材とを備えて構成され、
前記複数の支持部材の夫々が、前記一対の吊り下げ体における前記連結部材に直接連結される形態で前記一対の吊り下げ体に亘って架設され、
前記搬送コンベアが、コンベア本体と、そのコンベア本体から下方に突出する状態で設けられた脚部とを備えて構成されて、前記複数の支持部材に前記脚部の下端部を直接連結して前記複数の支持部材に亘って架設されている吊り下げ式歩廊。
【発明の詳細な説明】
【技術分野】
【０００１】
本発明は、作業者歩行用の歩行路形成部材と、前記歩行路形成部材の長手方向となる前後方向に沿って物品を搬送する搬送コンベアと、前記歩行路形成部材及び前記搬送コンベアを天井側から吊り下げ支持する吊り下げ体とが設けられ、前記吊り下げ体が、前記前後方向と交差する横幅方向に一対並設され、前記一対の吊り下げ体の下端部に直接連結されて前記一対の吊り下げ体に亘って架設され且つ前記前後方向に沿って複数並設された前記横幅方向に沿う姿勢の支持部材が設けられている吊り下げ式歩廊に関する。
【背景技術】
【０００２】
かかる吊り下げ式歩廊は、作業用の足場や移動用の通路を形成するために用いられるものであり、一対の吊り下げ体に亘って架設される支持部材を前後方向に沿って複数並設し、その前後方向に沿って並設された複数の支持部材に亘って歩行路形成部材が架設されていた。ちなみに、支持部材は一対の吊り下げ体の下端部に直接連結され、歩行路形成部材は複数の支持部材に直接連結されている（例えば、特許文献１参照。）。
【先行技術文献】
【特許文献】
【０００３】
【特許文献１】特開２０００−７３３１５号公報
【発明の概要】
【発明が解決しようとする課題】
【０００４】
そして、上記した従来の吊り下げ式歩廊に搬送コンベアを設置する場合、歩行路形成部材を搬送コンベア設置用の床材として、その歩行路形成部材上に搬送コンベアを設置していた。つまり、歩行路形成部材における横幅方向の一方側の部分に搬送コンベアを設置し、歩行路形成部材における横幅方向の他方側の部分を作業者が歩行するようになっていた。
【０００５】
このように歩行路形成部材上に搬送コンベアを設置した場合、歩行路形成部材にはその歩行路形成部材上を歩行する作業者の荷重に加えて搬送コンベアの荷重がかかるため、搬送コンベアを設置しない場合に比べて、歩行路形成部材が変形し易い構成となっている。そこで、歩行路形成部材を肉厚に構成する又は前後方向に並ぶ支持部材の数を増やす等、歩行路形成部材が変形しないように対策を講じていたが、このような対策により吊り下げ式歩廊の重量が重くなっていた。
【０００６】
本発明は、上記実状に鑑みて為されたものであって、その目的は、軽量化を図ることができる吊り下げ式歩廊を提供する点にある。
【課題を解決するための手段】
【０００７】
本発明にかかる吊り下げ式歩廊は、作業者歩行用の歩行路形成部材と、前記歩行路形成部材の長手方向となる前後方向に沿って物品を搬送する搬送コンベアと、前記歩行路形成部材及び前記搬送コンベアを天井側から吊り下げ支持する吊り下げ体とが設けられ、前記吊り下げ体が、前記前後方向と交差する横幅方向に間隔を隔てた状態で一対並設され、前記一対の吊り下げ体の下端部に直接連結されて前記一対の吊り下げ体に亘って架設され且つ前記前後方向に間隔を隔てた状態で支持部材が複数並設されているものであって、その第１特徴構成は、
前記歩行路形成部材が、前記複数の支持部材に直接連結されて前記複数の支持部材に亘って架設され、前記搬送コンベアが、前記歩行路形成部材に対して前記横幅方向に並ぶ状態で前記前後方向に沿って設置され且つ前記複数の支持部材に直接連結されて前記複数の支持部材に亘って架設され、天井側に前記前後方向に沿う姿勢で設置された建築梁が、前記横幅方向に並ぶ状態で一対並設され、前記一対の建築梁に亘って架設され且つ前記前後方向に間隔を隔てた状態で横連結部材が複数並設され、前記一対の吊り下げ体における夫々の上端部が、前記横連結部材に直接連結されている点にある。
【０００８】
すなわち、搬送コンベアは、歩行路形成部材に対して横幅方向に並ぶ状態で前後方向に沿って設置され且つ複数の支持部材に直接連結されて複数の支持部材に亘って架設されている。つまり、搬送コンベアは、歩行路形成部材上ではなく、その歩行路形成部材を支持する支持部材に直接連結されており、支持部材にて搬送コンベアを直接支持することで、搬送コンベアの荷重が歩行路形成部材にかからない。よって、搬送コンベアを設けたとしても歩行路形成部材の強度を高める必要がないので、搬送コンベアを歩行路形成部材上に設けた場合に比べて歩行路形成部材の軽量化を図ることができ、もっては、吊り下げ式歩廊の軽量化を図ることができる。
また、吊り下げ式歩廊を、天井側に設置された一対の建築梁の長手方向に沿って設置する場合、一対の建築梁に亘って横連結部材を架設し、その横連結部材に一対の吊り下げ体の上端部を直接連結することによって、一対の建築梁の間隔に関らず一対の吊り下げ体を任意の間隔で横連結部材に連結することができる。
つまり、一対の吊り下げ体の間隔とそれを支持する一対の建築梁の間隔とが異なる場合があるが、一対の建築梁に亘って架設された横連結部材に一対の吊り下げ体を直接連結し、一対の吊り下げ体を横連結部材を介して一対の建築梁に間接連結することにより、一対の建築梁の間隔に関らず任意の間隔で一対の吊り下げ体を設けることができる。
【０００９】
本発明にかかる吊り下げ式歩廊は、作業者歩行用の歩行路形成部材と、前記歩行路形成部材の長手方向となる前後方向に沿って物品を搬送する搬送コンベアと、前記歩行路形成部材及び前記搬送コンベアを天井側から吊り下げ支持する吊り下げ体とが設けられ、前記吊り下げ体が、前記前後方向と交差する横幅方向に間隔を隔てた状態で一対並設され、前記一対の吊り下げ体の下端部に直接連結されて前記一対の吊り下げ体に亘って架設され且つ前記前後方向に間隔を隔てた状態で支持部材が複数並設されているものであって、その第２特徴構成は、
前記歩行路形成部材が、前記複数の支持部材に直接連結されて前記複数の支持部材に亘って架設され、前記搬送コンベアが、前記歩行路形成部材に対して前記横幅方向に並ぶ状態で前記前後方向に沿って設置され且つ前記複数の支持部材に直接連結されて前記複数の支持部材に亘って架設され、前記複数の支持部材の夫々が、横幅方向視の断面形状が上方に開口するコ字状に形成されている点にある。
【００１０】
すなわち、搬送コンベアは、歩行路形成部材に対して横幅方向に並ぶ状態で前後方向に沿って設置され且つ複数の支持部材に直接連結されて複数の支持部材に亘って架設されている。つまり、搬送コンベアは、歩行路形成部材上ではなく、その歩行路形成部材を支持する支持部材に直接連結されており、支持部材にて搬送コンベアを直接支持することで、搬送コンベアの荷重が歩行路形成部材にかからない。よって、搬送コンベアを設けたとしても歩行路形成部材の強度を高める必要がないので、搬送コンベアを歩行路形成部材上に設けた場合に比べて歩行路形成部材の軽量化を図ることができ、もっては、吊り下げ式歩廊の軽量化を図ることができる。
また、支持部材が横幅方向視の形状が上方に開口するコ字状に形成されているため、例えば、支持部材が横幅方向視の形状が上方及び下方に開口するＨ字状（コ字状の２辺を下方に伸ばした形状）に形成した場合に比べて、支持部材の上下方向での幅を小さくすることができる。よって、歩行路形成部材や搬送コンベアの設置高さを変更することなく吊り下げ式歩廊の上下幅を小さくできる。
【００１１】
本発明にかかる吊り下げ式歩廊の第３特徴構成は、第２特徴構成において、天井側に前記前後方向に沿う姿勢で設置された建築梁が、前記横幅方向に並ぶ状態で一対並設され、前記一対の建築梁に亘って架設され且つ前記前後方向に間隔を隔てた状態で横連結部材が複数並設され、前記一対の吊り下げ体における夫々の上端部が、前記横連結部材に直接連結されている点にある。
【００１２】
すなわち、吊り下げ式歩廊を、天井側に設置された一対の建築梁の長手方向に沿って設置する場合、一対の建築梁に亘って横連結部材を架設し、その横連結部材に一対の吊り下げ体の上端部を直接連結することによって、一対の建築梁の間隔に関らず一対の吊り下げ体を任意の間隔で横連結部材に連結することができる。
つまり、一対の吊り下げ体の間隔とそれを支持する一対の建築梁の間隔とが異なる場合があるが、一対の建築梁に亘って架設された横連結部材に一対の吊り下げ体を直接連結し、一対の吊り下げ体を横連結部材を介して一対の建築梁に間接連結することにより、一対の建築梁の間隔に関らず任意の間隔で一対の吊り下げ体を設けることができる。
【００１３】
本発明にかかる吊り下げ式歩廊の第４特徴構成は、第２特徴構成において、天井側に前記前後方向に沿う姿勢で設置された建築梁が、前記横幅方向に間隔を隔てた状態で一対並設され、前記一対の吊り下げ体における一方の上端部が、前記一対の建築梁の一方に直接連結され、且つ、前記一対の吊り下げ体における他方の上端部が、前記一対の建築梁の他方に直接連結されている点にある。
【００１４】
すなわち、吊り下げ式歩廊を、天井側に設置された一対の建築梁の長手方向に沿って設置する場合、一方の吊り下げ体の上端部を一方の建築梁に直接連結し、他方の吊り下げ体の上端部を他方の建築梁に直接連結して、一対の吊り下げ体を一対の建築梁に連結することで、歩行路形成部材を天井近くに設けることができる。
つまり、例えば、一対の建築梁と一対の吊り下げ体との間に横連結部材を介在させた場合では、横連結部材が歩行路形成部材上を歩行する作業者の邪魔にならないように、歩行路形成部材を天井側から離した状態で設ける必要があるのに対して、第４特徴構成では、横連結部材が存在しない分、歩行路形成部材を天井近くに設けることができる。
【００１５】
本発明にかかる吊り下げ式歩廊の第５特徴構成は、第１〜第４特徴構成のいずれか１つにおいて、前記一対の吊り下げ体の夫々が、前記前後方向に間隔を隔てた状態で複数並設された上下方向に沿う姿勢の吊り部材と、前記吊り部材の下端部に直接連結されて前記前後方向に隣接する前記吊り部材に亘って架設された前記前後方向に沿う姿勢の前後連結部材とを備えて構成され、前記複数の支持部材の夫々が、前記一対の吊り下げ体における前記前後連結部材に直接連結される形態で前記一対の吊り下げ体に亘って架設されている点にある。
【００１６】
すなわち、前後方向に隣接する吊り部材に亘って前後連結部材を架設し、その前後連結部材に支持部材を直接連結することによって、支持部材を任意の間隔で前後方向に並設することができる。
つまり、複数並設された支持部材の間隔とそれを支持する複数並設された吊り部材との間隔が異なる場合があるが、隣接する吊り部材に亘って架設された前後連結部材に吊り部材を直接連結し、支持部材を前後連結部材を介して吊り部材に間接連結することにより、吊り部材の間隔に関らず任意の間隔で支持部材を設けることができる。
【００１７】
本発明にかかる吊り下げ式歩廊の第６特徴構成は、第５特徴構成において、前記搬送コンベアが、コンベア本体と、そのコンベア本体から下方に突出する状態で設けられた脚部とを備えて構成されて、前記複数の支持部材に前記脚部の下端部を直接連結して前記複数の支持部材に亘って架設されている点にある。
【００１８】
すなわち、支持部材の間隔を任意の間隔で設けることができるため、搬送コンベアにおける脚部を支持部材にて支持する場合、搬送コンベアに設けられた脚部に対応した箇所に支持部材を設けることができ、搬送コンベアを適確に支持することができる。
【００１９】
本発明にかかる吊り下げ式歩廊の第７特徴構成は、第１〜第４特徴構成のいずれか１つにおいて、前記一対の吊り下げ体の夫々が、前記前後方向に間隔を隔てた状態で複数並設された上下方向に沿う姿勢の吊り部材を備えて構成され、前記複数の支持部材の夫々が、前記一対の吊り下げ体における前記吊り部材の下端部に直接連結される形態で前記一対の吊り下げ体に亘って架設されている点にある。
すなわち、支持部材を吊り部材に直接連結して、一対の吊り下げ体を一対の建築梁に連結することで、吊り部材と支持部材との間に前後連結部材を介在させる必要がないため、吊り下げ式歩廊の上下方向の厚みを小さくできる。
【００２０】
本発明にかかる吊り下げ式歩廊は、作業者歩行用の歩行路形成部材と、前記歩行路形成部材の長手方向となる前後方向に沿って物品を搬送する搬送コンベアと、前記歩行路形成部材及び前記搬送コンベアを天井側から吊り下げ支持する吊り下げ体とが設けられ、前記吊り下げ体が、前記前後方向と交差する横幅方向に間隔を隔てた状態で一対並設され、前記一対の吊り下げ体の下端部に直接連結されて前記一対の吊り下げ体に亘って架設され且つ前記前後方向に間隔を隔てた状態で支持部材が複数並設されているものであって、その第８特徴構成は、
前記歩行路形成部材が、前記複数の支持部材に直接連結されて前記複数の支持部材に亘って架設され、前記搬送コンベアが、前記歩行路形成部材に対して前記横幅方向に並ぶ状態で前記前後方向に沿って設置され且つ前記複数の支持部材に直接連結されて前記複数の支持部材に亘って架設され、前記一対の吊り下げ体の夫々が、前記前後方向に間隔を隔てた状態で複数並設された上下方向に沿う姿勢の吊り部材と、前記吊り部材の下端部に直接連結されて前記前後方向に隣接する前記吊り部材に亘って架設された前記前後方向に沿う姿勢の前後連結部材とを備えて構成され、前記複数の支持部材の夫々が、前記一対の吊り下げ体における前記連結部材に直接連結される形態で前記一対の吊り下げ体に亘って架設され、前記搬送コンベアが、コンベア本体と、そのコンベア本体から下方に突出する状態で設けられた脚部とを備えて構成されて、前記複数の支持部材に前記脚部の下端部を直接連結して前記複数の支持部材に亘って架設されている点にある。
すなわち、搬送コンベアは、歩行路形成部材に対して横幅方向に並ぶ状態で前後方向に沿って設置され且つ複数の支持部材に直接連結されて複数の支持部材に亘って架設されている。つまり、搬送コンベアは、歩行路形成部材上ではなく、その歩行路形成部材を支持する支持部材に直接連結されており、支持部材にて搬送コンベアを直接支持することで、搬送コンベアの荷重が歩行路形成部材にかからない。よって、搬送コンベアを設けたとしても歩行路形成部材の強度を高める必要がないので、搬送コンベアを歩行路形成部材上に設けた場合に比べて歩行路形成部材の軽量化を図ることができ、もっては、吊り下げ式歩廊の軽量化を図ることができる。
また、前後方向に隣接する吊り部材に亘って前後連結部材を架設し、その前後連結部材に支持部材を直接連結することによって、支持部材を任意の間隔で前後方向に並設することができる。
つまり、複数並設された支持部材の間隔とそれを支持する複数並設された吊り部材との間隔が異なる場合があるが、隣接する吊り部材に亘って架設された前後連結部材に吊り部材を直接連結し、支持部材を前後連結部材を介して吊り部材に間接連結することにより、吊り部材の間隔に関らず任意の間隔で支持部材を設けることができる。
すなわち、支持部材の間隔を任意の間隔で設けることができるため、搬送コンベアにおける脚部を支持部材にて支持する場合、搬送コンベアに設けられた脚部に対応した箇所に支持部材を設けることができ、搬送コンベアを適確に支持することができる。
【図面の簡単な説明】
【００２１】
【図１】第１実施形態における吊り下げ式歩廊の一部切欠き斜視図
【図２】第１実施形態における吊り下げ式歩廊の正面図
【図３】図２のＩＩＩ−ＩＩＩ線矢視図
【図４】図２のＩＶ−ＩＶ線矢視図
【図５】第２実施形態における吊り下げ式歩廊の一部切欠き斜視図
【図６】第２実施形態における吊り下げ式歩廊の正面図
【図７】図６のＶＩＩ−ＶＩＩ線矢視図
【図８】図６のＶＩＩＩ−ＶＩＩＩ線矢視図
【発明を実施するための形態】
【００２２】
以下、本発明の実施形態を図面に基づいて説明する。
〔第１実施形態〕
図１〜図４に示すように、吊り下げ式歩廊には、作業者歩行用の歩行路形成部材１と、歩行路形成部材１の長手方向となる前後方向に沿って物品を搬送する搬送コンベア２と、歩行路形成部材１及び搬送コンベア２を天井側から吊り下げ支持する吊り下げ体３とが設けられている。
【００２３】
天井側には、前後方向に沿う姿勢で建築梁４が設置されており、この建築梁４は、前後方向と交差する横幅方向に並ぶ状態で且つ歩廊の横幅より広い間隔を隔てた状態で一対並設されている。そして、一対の建築梁４に亘って横幅方向に沿う姿勢の横連結部材５が架設されており、この横連結部材５は、前後方向に間隔を隔てた状態で複数並設されている。
一対の建築梁４と複数の横連結部材５との夫々は、Ｈ型鋼にて構成されており、横連結部材５は、横連結部材５の上側のフランジと建築梁４の下側のフランジとをクランプ機構６にて挾持する形態で建築梁４に直接連結されている。
【００２４】
図２及び図３に示すように、吊り下げ体３は、一対の建築梁４の間隔より狭い間隔を隔てた状態で横幅方向に一対並設されており、一対の吊り下げ体３の夫々は、前後方向に複数並設された吊り部材３ａにて構成されている。これら複数の吊り部材３ａの夫々は、上下方向に沿う姿勢で設けられている。
そして、一対の吊り下げ体３における夫々の上端部が、複数の横連結部材５に直接連結されている。説明を加えると、吊り部材３ａは角形鋼管にて構成されており、吊り部材３ａの上端部が横連結部材５の下側のフランジに、Ｌ字状の部材とボルト・ナットとで構成されたＬ型連結手段７を用いてボルト連結する形態で直接連結されている。このように吊り下げ体３は、横連結部材５に対しては直接連結され、建築梁４に対しては横連結部材５を介して間接連結されている。
ちなみに、複数の横連結部材５の夫々には、一方の吊り下げ体３における１本の吊り部材３ａと他方の吊り下げ体３における１本の吊り部材３ａとが連結されている。
【００２５】
図３及び図４に示すように、支持部材８は、一対の吊り下げ体３の下端部に直接連結されて一対の吊り下げ体３に亘って架設されている。この支持部材８は、横幅方向に沿う姿勢で前後方向に複数並設されており、複数の支持部材８の夫々は、横幅方向視の断面形状が上方に開口するコ字状形成された溝型鋼にて構成されている。
そして、複数の支持部材８の夫々は、一対の吊り下げ体３における吊り部材３ａの下端部に直接連結される形態で一対の吊り下げ体３に亘って架設されている。説明を加えると、一方の吊り下げ体３における吊り部材３ａの下端部がＬ型連結手段７を用いて支持部材８のウェブにボルト連結する形態で直接連結され、また、他方の吊り下げ体３における吊り部材３ａの下端部も同様にＬ型連結手段７を用いて支持部材８のウェブに連結する形態で直接連結されている。このように支持部材８は、吊り部材３ａに対して直接連結されている。
ちなみに、複数の支持部材８の夫々には、一方の吊り下げ体３における１本の吊り部材３ａと他方の吊り下げ体３における１本の吊り部材３ａとの２本の吊り部材３ａが連結されている。
【００２６】
図２に示すように、歩行路形成部材１は、鋼板の横幅方向の両端部を下方に屈曲形成した床材１ａを、前後方向及び横幅方向に複数並設して構成されている。そして、前後方向及び横幅方向に隣接する床材１ａどうしは溶接により連結されており、複数の床材１ａの夫々は、その横幅方向の両端部がその下方に位置する支持部材８と溶接により連結されている。このように歩行路形成部材１は、複数の支持部材８に直接連結されて複数の支持部材８に亘って架設されている。
【００２７】
搬送コンベア２は、物品を載置搬送するコンベア本体２ａと、そのコンベア本体２ａから下方に突出する状態で設けられた脚部２ｂとを備えて構成されている。コンベア本体２ａは、回転ローラやそれを回転駆動させる電動モータ等を一体的に組み付けてユニット状に構成されており、前後方向に複数並設されている。そして、コンベア本体２ａどうしは平板状の部材とボルト・ナットとで構成されたＩ型連結手段９を用いてボルト連結されている。脚部２ｂは、その下端に備えられたフランジ部が支持部材８のウェブ（両フランジを連結する部分）にボルト連結されており、上端に備えられたフランジ部がコンベア本体２ａにおける支持部材８の真上に位置する部分（コンベア本体の前後方向の中央部分等）にボルト連結されている。このように搬送コンベア２は、複数の支持部材８に直接連結されて複数の支持部材８に亘って架設されている。
【００２８】
そして、歩行路形成部材１及び搬送コンベア２は、一対の吊り下げ体３の間に設けられているが、歩行路形成部材１は、一方の吊り下げ体３が存在する横幅方向の一方側に寄せて設けられ、搬送コンベア２は、他方の吊り下げ体３が存在する横幅方向の他方側に寄せて設けられており、搬送コンベア２は、歩行路形成部材１に対して横幅方向に並ぶ状態で設けられている。
【００２９】
従って、歩行路形成部材１と搬送コンベア２とを横幅方向に並べた状態で設け、搬送コンベア２を、歩行路形成部材１にて支持するのではなく歩行路形成部材１を支持する支持部材８にて支持することによって、歩行路形成部材１に荷重がかからないように搬送コンベア２を吊り下げ式歩廊に設けることができる。
【００３０】
〔第２実施形態〕
次に、本発明の搬送設備の第２実施形態について図面に基づいて説明する。
尚、第２実施形態は、横連結部材５の有無や吊り下げ体３の構成が異なる等以外は第１実施形態と同様に構成されているため、第１実施形態と同様の構成については同じ符号をつけて説明は省略し、主に第１実施形態と異なる構成を説明する。
【００３１】
図５〜図８に示すように、一対の吊り下げ体３の夫々は、前後方向に複数並設された吊り部材３ａと、吊り部材３ａの下端部に直接連結されて前後方向に隣接する吊り部材３ａに亘って架設された前後方向に沿う姿勢の前後連結部材３ｂとを備えて構成されている。
そして、複数の吊り部材３ａの夫々は、その上端部のフランジと建築梁４の下側のフランジとをクランプ機構６にて挾持する形態で建築梁４に直接連結されている。このように第１実施形態で設けられていた横連結部材５は第２実施形態では設けられておらず、一対の吊り下げ体３における一方の上端部が、一対の建設梁４の一方に直接連結され、且つ、一対の吊り下げ体３における他方の上端部が、一対の建築梁４の他方に直接連結されている。
また、前後連結部材３ｂは、Ｈ型鋼にて構成されており、吊り部材３ａの下端部と前後連結部材３ｂの上側のフランジとがＬ型連結手段７を用いて直接連結されている。
【００３２】
図７及び図８に示すように、複数の支持部材８の夫々は、一対の吊り下げ体３における前後連結部材３ｂに直接連結される形態で一対の吊り下げ体３に亘って架設されている。説明を加えると、前後連結部材３ｂの上面と支持部材８の下面とが溶接により直接連結されている。このように支持部材８は、前後連結部材３ｂに対して直接連結されており、吊り部材３ａに対しては前後連結部材３ｂを介して間接連結されている。
【００３３】
そして、コンベア本体２ａどうしは脚部２ｂを用いてボルト連結されている。つまり、脚部２ｂは、上端に備えられたフランジ部が前後方向に隣接する一対のコンベア本体２ａの夫々にボルト連結されている。
【００３４】
要するに、第２実施形態では、横連結部材５が設けられておらず、吊り下げ体３に前後連結部材３ｂが備えられている。また、搬送コンベア２の脚部２ｂが、隣接する一対のコンベア本体２ａを連結するべく一対のコンベア部分２ａに連結されている。このように構成した第２実施形態では、コンベア本体２ａの前後方向の端部に脚部２ｂを連結した搬送コンベア２を、第１実施形態と同様に歩行路形成部材１に荷重がかからないように吊り下げ式歩廊に設けることができる。
【００３５】
〔別実施形態〕
（１）  上記第１実施形態では、横連結部材５を設けるが吊り下げ体３に前後連結部材３ｂを備えず、上記第２実施形態では、吊り下げ体３に前後連結部材３ｂを備えるが横連結部材５を設けないが、横連結部材５を設けるとともに吊り下げ体３に前後連結部材３ｂを備えてもよく、また、横連結部材５を設けないとともに吊り下げ体３に前後連結部材３ｂを備えなくてもよい。
【００３６】
（２）  上記第１又は第２実施形態では、連結梁４と横連結部材５とをクランプにより連結し、横連結部材５と吊り部材３ａとの連結をボルトにより連結し、吊り部材３ａと支持部材８との連結をボルトにより連結し、前後連結部材３ｂと支持部材８との連結を溶接により連結したが、例えば、連結梁４と横連結部材５とをボルト又は溶接により連結する等、これらの連結方法は適宜変更してもよい。
【００３７】
（３）  上記第１実施形態では、コンベア本体２ａの前後方向の中央部に脚部２ｂを連結したが、コンベア本体２ａの前後方向の端部２ｂに脚部を連結してもよい。また、第２実施形態では、コンベア本体２ａの前後方向の端部に脚部２ｂを連結したが、コンベア本体２ａの前後方向の中央部に脚部２ｂを連結してもよい。
上記第１及び第２実施形態では、搬送コンベア２に脚部２ｂを備えたが、搬送コンベア２に脚部２ａを備えなくてもよい。尚、この場合、コンベア本体２ａを支持部材８に直接連結することが考えられる。
また、上記第１及び第２実施形態では、歩行路形成部材１、吊り下げ体３又は支持部材８にて支持する形態で落下防止用の柵を前後方向に沿って設けてもよい。
【符号の説明】
【００３８】
１    歩行路形成部材
２    搬送コンベア
２ａ  コンベア本体
２ｂ  脚部
３    吊り下げ体
３ａ  吊り部材
３ｂ  前後連結部材
４    建築梁
５    横連結部材
８    支持部材
【図１】
0005510728.tif 000002
【図２】
0005510728.tif 000003
【図３】
0005510728.tif 000004
【図４】
0005510728.tif 000005
【図５】
0005510728.tif 000006
【図６】
0005510728.tif 000007
【図７】
0005510728.tif 000008
【図８】
0005510728.tif 000009